(57)【要約】      （修正有）【課題】送話音声とともに、受話音声の外部への漏れ音を低減できる携帯端末装置を提供する。【解決手段】携帯端末装置は、ユーザの送話音声を検出するマイクと、通話先からの受話音声を出力するレシーバと、送話音声と同一周波数成分を有し且つ逆位相の送話逆位相信号と受話音声と同一周波数成分を有し且つ逆位相の受話逆位相信号とを生成する生成部と、生成部により生成された送話逆位相信号と受話逆位相信号とを音声出力するスピーカとを備える。【選択図】図１
2008134557.tif 000002
【特許請求の範囲】
【請求項１】
ユーザの送話音声を送信し、通話先からの受話音声を受信する携帯端末装置において、
前記送話音声を検出するマイクと、
前記受話音声を出力するレシーバと、
前記送話音声と同一周波数成分を有し且つ逆位相の送話逆位相信号と、前記受話音声と同一周波数成分を有し且つ逆位相の受話逆位相信号とを生成する生成部と、
前記生成部により生成された前記送話逆位相信号と前記受話逆位相信号とを音声出力するスピーカとを備えることを特徴とする携帯端末装置。
【請求項２】
音楽再生機能を有する携帯端末装置において、
ヘッドフォンが接続されるヘッドフォン端子と、
前記ヘッドフォン端子に音声出力される音響信号と同一の周波数成分を有し且つ逆位相の逆位相音響信号を生成する生成部と、
前記生成部により生成された前記逆位相音響信号を音声出力するスピーカとを備えることを特徴とする携帯端末装置。
【請求項３】
請求項１において、
ヘッドフォン端子を備え、
前記生成部は、前記ヘッドフォン端子に音声出力される音響信号と同一の周波数成分を有し且つ逆位相の逆位相音響信号を生成し、
当該逆位相音響信号が前記スピーカから音声出力されることを特徴とする携帯端末装置。
【請求項４】
請求項１において、
前記スピーカが音声出力された前記送話逆位相信号及び前記受話逆位相信号がユーザの耳及び前記マイク及び前記レシーバ付近には到達せずに、ユーザの周囲にのみ出力されるように、前記送話逆位相信号及び前記受話逆位相信号を音響処理する音響処理部を備え、
当該音響処理された前記送話逆位相信号及び前記受話逆位相信号が前記スピーカから出力されることを特徴とする携帯端末装置。
【請求項５】
請求項２又は３において、
前記スピーカから音声出力された前記逆位相音響信号がユーザの耳及び前記マイク及び前記レシーバ付近には到達せずに、ユーザの周囲にのみ出力されるように、前記逆位相音響信号を音響処理する音響処理部を備え、
当該音響処理された前記逆位相音響信号が前記スピーカから音声出力されることを特徴とする携帯端末装置。
【請求項６】
通話先からの受話音声を受信する携帯端末装置において、
前記受話音声を出力するレシーバと、
前記受話音声と同一周波数成分を有し且つ逆位相の受話逆位相信号を生成する生成部と、
前記生成部により生成された前記受話逆位相信号とを音声出力するスピーカとを備えることを特徴とする携帯端末装置。
【発明の詳細な説明】
【技術分野】
【０００１】
本発明は、携帯電話機のような携帯端末装置に関し、特に、周囲に漏れる送話音声及び受話音声の両方を低減させることができる携帯端末装置に関する。
【背景技術】
【０００２】
一般に、公共の場所など不特定の第三者がいる場所で、携帯電話機により通話を行う場合、携帯電話機の利用マナーとして、携帯電話機のユーザの発する音声が周囲に対してできるだけ漏れないように、ユーザは小声で通話することが好ましいとされているが、小声でしゃべると、通話相手が通話音声を聞き取りづらくなり、円滑に通話できなくなり、現実的には、ユーザの周囲にいる第三者にも聞こえてしまう程度の音量で音声を発せざるを得ない。
【０００３】
そこで、ユーザの発する送話音声が周囲に漏れるのを低減するために、携帯電話機が、送話音声信号の周波数と同一成分を有し且つ逆位相の音声信号を生成し、スピーカから出力することで、周囲の漏れる送話音声を打ち消し、送話音声の低減する技術が知られている。例えば、下記特許文献１は、送話音声に対して同一周波数成分、逆位相の音声信号をスピーカより出力し、送話音声を打ち消すことで周囲に聞こえる送話音声を小さくすることが携帯通信端末の構成を開示し、特に、筐体内におけるマイクロフォンとスピーカとの間の空間を隔絶する隔壁を設け、スピーカから発せられた音声が筐体内部でスピーカに回り込み、送話音声を打ち消しあって、送話音量が小さくなってしまうことを防止することを特徴としている。
【０００４】
また、例えば、下記特許文献２及び３に開示されているように、携帯電話装置以外の技術分野において、周囲への騒音防止という観点から、周囲に漏れる騒音成分と同一周波数成分を有し且つ逆位相の音をスピーカから出力することで、騒音を低減させる構成が知られている。
【特許文献１】特開２００６−１４８３７８号公報
【特許文献２】特開平６−２０８２１４号公報
【特許文献３】特開平８−１５０６２１号公報
【発明の開示】
【発明が解決しようとする課題】
【０００５】
しかしながら、携帯電話機の普及に伴い、通話時のマナーの更なる向上が求められている中、上記特許文献１は、送話音声の周囲に対する漏れを低減させることはできるが、携帯電話機のスピーカから出力される受話音声の漏れを低減させることはできない。
【０００６】
また、近年の携帯電話機の多くは、音楽再生機能を有しており、音楽再生に伴って、スピーカ又はヘッドフォン（若しくはイヤフォン）から漏れる音の低減も、マナー向上のため求められている。
【０００７】
さらに、特許文献１のように、スピーカからの逆位相音声がマイクに回り込むのを防止するための隔壁を設けると、携帯端末装置の小型化が阻害される。また、スピーカからの逆位相音声がユーザの耳に到達すると、レシーバからの受話音声が打ち消され、音量が低下し、聞きづらくなる。
【０００８】
そこで、本発明の目的は、送話音声とともに、受話音声など携帯端末装置から外部に出力される音の周囲への漏れを低減することができる携帯端末装置を提供することにある。
【０００９】
また、本発明の別の目的は、隔壁を設けることなく、スピーカからの逆位相音声がユーザの耳やマイクに到達しないようにする携帯端末装置を提供することにある。
【課題を解決するための手段】
【００１０】
図１は、本発明の携帯端末装置の要部構成を示す図である。携帯端末装置は例えば携帯電話機であり、電話機能、電子メール機能、音楽再生機能、インターネット機能などさまざまな機能を搭載可能であるが、図１には、電話機能に関する構成要素を示す。
【００１１】
ユーザが発する送話音声はマイク１によって取得され、アナログ送話音声信号は、Ａ／Ｄ変換部２により、デジタル送話音声信号に変換され、さらに、音声符号化部３により、符号化されて、無線部４を介してアンテナ５から送信される。符号化は、例えば、ＰＣＭ(Pulse Code Modulation)、ＡＤＰＣＭ(Adaptive Differential Pulse Modulation)、ＭＩＤＩ(Musical Instruments Digital Interface)、ＡＡＣ(Advanced Audio Coding)、ＭＰ３(MPEG Audio Layer-3)などさまざまな符号化方式が用いられてよい。
【００１２】
符号化されたデジタル送話音声信号は、送信されるとともに、音声復号部９で復号され、さらに、Ｄ／Ａ変換部１０によりアナログ送話音声信号に戻され、レシーバ１１から音声出力される。これにより、ユーザ自身の送話音声がレシーバ１１から出力され、ユーザは、自己の発した音声を確認することができる。
【００１３】
さらに、符号化されたデジタル送話音声信号は、逆位相波形生成部６に入力される。逆位相波形生成部６は、入力されたデジタル送話音声信号と同一の周波数成分を有し且つ逆位相の信号（送話逆位相信号）を生成する。音源再生部７は、送話逆位相信号を、復号化し、さらにＤ／Ａ変換して、スピーカ８から出力する。これにより、ユーザの口から発せられる送話音声及びレシーバ１１から出力される送話音声は、スピーカ８から出力される送話逆位相信号によって打ち消され、送話音声の外部への漏れを低減することができる。
【００１４】
一方、通話先からの受話音声は、符号化されたデジタル受話音声信号としてアンテナ５により受信される。符号化されたデジタル受話音声信号は、音声復号部９で復号され、さらに、Ｄ／Ａ変換部１０によりアナログ受話音声信号に戻され、レシーバ１１から音声出力される。これにより、相手ユーザの発した受話音声がレシーバ１１から出力され、ユーザは、受話音声を聞くことができる。
【００１５】
そして、本発明の携帯端末装置に特徴的な漏れ音キャンセル機能として、符号化されたデジタル受話音声信号は、さらに、逆位相波形生成部６にも入力される。逆位相波形生成部６は、入力されたデジタル受話音声信号と同一の周波数成分を有し且つ逆位相の信号（受話逆位相信号）を生成する。音源再生部７は、受話逆位相信号を、復号化し、さらにＤ／Ａ変換して、スピーカ８から出力する。これにより、レシーバ１１から出力される受話音声は、スピーカ８から出力される受話逆位相信号によって打ち消され、本発明の携帯端末装置は、受話音声の外部への漏れをも低減することができる。
【発明の効果】
【００１６】
本発明によれば、送話音声とともに、受話音声の逆位相信号を生成し、出力することで、受話音声がユーザの周囲に漏れるのを防止することができる。
【００１７】
また、スピーカとマイクとの間に隔壁を設けることなく、スピーカからの逆位相音声がマイクに回り込むのを防止することができる。
【発明を実施するための最良の形態】
【００１８】
以下、図面を参照して本発明の実施の形態について説明する。しかしながら、かかる実施の形態例が、本発明の技術的範囲を限定するものではない。
【００１９】
図２は、本発明の実施の形態における携帯端末装置の第一の構成例を示す図である。図１と実質的に同一の機能を有する構成要素には同一の参照符号が付される。送話音声の処理は、次の通りである。送話音声は、マイク１により検出される。アナログ送話音声信号の入力レベルは、レベル調整部（ＴＸＶＯＬ）２１により調整される。アンチエリアシングフィルタ（ＡＡＦ）２２は、折り返し雑音をなくすためにナイキスト周波数以上の信号を除去するためのローパスフィルタである。Ａ／Ｄ変換部（ＡＤＣ）２は、アンチエリアシングフィルタ２２によりフィルタリングされたアナログ送話音声信号をデジタル送話音声信号に変換し、デジタル送話音声信号は、バンドパスフィルタ（ＢＰＦ）２４によりノイズ除去されてから、ＰＣＭフォーマット変換部３（９）により、ＰＣＭフォーマットに符号化される。符号化されたデジタル送話音声信号は、ベースバンドプロセッサ５（６）の処理により、無線信号として送信される。
【００２０】
また、ＰＣＭフォーマット変換部３（９）は、符号化されたデジタル送話音声信号を復号し、デジタル送話音声信号は、バンドパスフィルタ２６によりノイズ除去されてから、Ｄ／Ａ変換部（ＤＡＣ）１０によりアナログ送話音声信号に戻される。アナログ送話音声信号は、平滑化フィルタ（ＳＭＦ）により平滑化され、レベル調整部（ＲＸＶＯＬ）３０によりレベル調整されてから、レシーバ１１から出力される。レシーバボリューム調整部３２は、レシーバ１１からの出力レベルをユーザが設定可能なレベル調整手段である。レシーバ１１から出力される送話音声は、ユーザ自身が発する送話音声をユーザが確認するためのものである。
【００２１】
一方、ベースバンドプロセッサ５（６）は、符号化されたデジタル送話音声信号と同一の周波数成分を有し且つ逆位相のデジタル送話逆位相信号を生成し、マルチメディアプロセッサ３４に送る。マルチメディアプロセッサ３４は、デジタル送話逆位相信号を、音源再生部７であつかうフォーマットに変換し、デジタル送話逆位相信号を音源再生部７に送る。マルチメディアプロセッサ３４及び音源再生部７は、例えば音楽再生機能を備え、通話用のフォーマット（例えば、ＰＣＭフォーマット）とは別の音楽再生用フォーマットにより音声処理を行っている。音源再生部７は、デジタル送話逆位相信号を復号化し、さらにＤ／Ａ変換して、アナログ送話逆位相信号に戻す。アナログ送話逆位相信号は、スピーカ８から出力される。スピーカレベル調整部３６は、スピーカ８からの出力レベルをユーザが設定可能なレベル調整手段である。
【００２２】
このように、レシーバ１１から出力される受話音声は、スピーカ８から出力される受話逆位相信号によって打ち消され、本発明の携帯端末装置は、受話音声の外部への漏れをも低減することができる。
【００２３】
受話音声の処理は、次の通りである。ベースバンドプロセッサ６は、符号化されたデジタル受話音声信号を受信すると、それをＰＣＭフォーマット変換部３（９）に送る。ＰＣＭフォーマット変換部３（９）は、符号化されたデジタル受話音声信号を復号する。復号されたデジタル受話音声信号は、デジタル送話音声信号と同様に、バンドパスフィルタ２６によりノイズ除去されてから、Ｄ／Ａ変換部（ＤＡＣ）１０によりアナログ受話音声信号に戻される。そして、アナログ受話音声信号は、平滑化フィルタ（ＳＭＦ）により平滑化され、レベル調整部（ＲＸＶＯＬ）３０によりレベル調整されてから、レシーバ１１から出力される。こうして、ユーザは、受話音声をレシーバ１１から聞くことができる。
【００２４】
一方、ベースバンドプロセッサ６は、符号化されたデジタル受話音声信号を受信すると、それと同一の周波数成分を有し且つ逆位相のデジタル受話逆位相信号を生成し、マルチメディアプロセッサ３４に送る。マルチメディアプロセッサ３４は、デジタル受話逆位相信号を、音源再生部７であつかうフォーマットに変換し、デジタル受話逆位相信号を音源再生部７に送る。音源再生部７は、デジタル受話逆位相信号を復号化し、さらにＤ／Ａ変換して、アナログ受話逆位相信号に戻す。こうして、アナログ受話逆位相信号がスピーカ８から出力され、レシーバ１１から出力される受話音声が打ち消される。
【００２５】
マルチメディアプロセッサ３４は、ベースバンドプロセッサ６より受信するデジタル送話逆位相信号及びデジタル受話逆位相信号のレベルに応じて、マイク１からの入力音声レベル及びレシーバ１１からの出力音声レベルの少なくとも一方を制御してもよい。スピーカ８から出力される逆位相の送話音声又は逆位相の出力レベルが、打ち消しに必要なレベルに足りない場合、本来の送話音声及び受話音声のレベルを低減させることで、送話音声及び受話音声の外部の漏れを防止する。具体的には、マルチメディアプロセッサ３４は、デジタル送話逆位相信号及びデジタル受話逆位相信号のレベルが所定のしきい値を超えている場合に、レベル調整部２０及びレベル調整部３０の少なくとも一方を制御して、入力音声レベル及び出力レベル音声レベルの少なくとも一方を抑制する。
【００２６】
または、マルチメディアプロセッサ３４は、音源再生部７を介して警告音をレシーバ１１から出力する制御を行ってもよい。これにより、スピーカ８からの送話逆位相信号又は受話逆位相信号の出力レベルが外部への音漏れをキャンセルするのに十分なレベルでないことをユーザに知らせる。ユーザは、レシーバレベル調整部３２によりレシーバ１１からの出力音声を弱めたり、ユーザ自身が発する音声を小さくすることで、外部への漏れ音を抑制する。
【００２７】
また、外部に受話音声又は送話音声が漏れるのを防止するために、マルチメディアプロセッサ３４は、携帯端末装置内の記憶手段にあらかじめ格納された音源データを音源再生部７に再生させ、逆位相信号に重畳してスピーカ８から出力するよう制御することも可能である。スピーカ８からの送話逆位相信号又は受話逆位相信号の出力レベルが外部への音漏れをキャンセルするのに十分なレベルでない場合に、これら逆位相信号に重畳して特定パターン音を出力することで、ユーザの通話内容が外部に漏れるのを防止することができる。パターン音は、任意のノイズ音や音楽などであり、ユーザが選択可能である。
【００２８】
図３は、本発明の実施の形態における携帯端末装置の第二の構成例を示す図である。図１と実質的に同一の機能を有する構成要素には同一の参照符号が付される。第二の構成例は、携帯端末装置の有する音楽再生機能により、ヘッドフォン（イヤフォンも含む）４２から出力される音声の外部への漏れを低減させる構成である。携帯端末装置は、ヘッドフォン４２が接続されるヘッドフォン端子を備える。第二の構成例の携帯端末装置は、第一の構成例における通話機能を備えていてもよい。
【００２９】
マルチメディアプロセッサ３４の制御により音源再生部７は、ユーザにより指定された音源データを再生する。再生された音源データの音響信号は、ヘッドフォン４２から音声出力される。ヘッドフォンレベル調整部４０は、ヘッドフォン４２の出力レベルをユーザが設定可能なレベル調整手段である。音源データは、携帯端末装置内の記憶手段にあらかじめ格納される。
【００３０】
マルチメディアプロセッサ３４は、再生する音源データがＰＣＭフォーマットでない場合は、ＰＣＭフォーマットに変換し、その音源データをベースバンドプロセッサ６に送り、ベースバンドプロセッサ６は、受信した音源データと同一の周波数成分を有し且つ逆位相のデジタル逆位相音響信号を生成する。
【００３１】
ＰＣＭフォーマット変換部３（９）は、デジタル逆位相信号を復号し、復号されたデジタル逆位相音響信号は、バンドパスフィルタ２６によりノイズ除去されてから、Ｄ／Ａ変換部（ＤＡＣ）１０によりアナログ逆位相音響信号に戻される。そして、アナログ逆位相音響信号は、平滑化フィルタ（ＳＭＦ）２８により平滑化され、レベル調整部（ＲＸＶＯＬ）３０によりレベル調整されてから、逆位相音声として、スピーカ８から出力される。こうして、ヘッドフォン４２から漏れる音声は、スピーカ８から出力される逆位相音声により打ち消される。
【００３２】
上述の実施の形態例において、好ましくは、マルチメディアプロセッサ３４は、音源再生部７で再生する送話音声、受話音声、所定の音源データに対して、いわゆる３Ｄサラウンド処理を実行する。通話時に、スピーカ８から出力される逆位相音声がユーザの耳に到達すると、ユーザが発する音声やレシーバ１１及びヘッドフォン４２から出力される音声が打ち消されてしまう。また、マイク１が逆位相音声を拾うことで、マイク１で検出する送話音声のレベルが小さくなってしまう。マイク３Ｄサラウンド処理により、スピーカ８から出力される逆位相音声がユーザの耳及びマイクに到達するのを防止し、音声が聞こえなくなってしまう不都合を解消することができる。
【００３３】
３Ｄサラウンド技術は、２つのスピーカを使ってステレオサウンド以上の３次元の立体音響を作り出す処理であって、３次元空間の所定の位置に仮想的な音源があることをユーザに知覚させる音信号を生成する音響処理である。
【００３４】
人間の耳は、音量の差、音の伝わる時間差あるいは位相差、さらには周波数特性を無意識に感じており、例えば、左前方で物音がした場合、左耳の方が大きく聞こえたという音量差と、左耳の方により早く伝わったという時間差を瞬時に感じ取っている。また、音源から音は、直線的に耳に到達するのではなく、人間の体を含むさまざまな物体に反射しながら、鼓膜に到達する。すなわち、音が前方から到達する場合と後方から到達する場合とでは、反射の仕方が異なっている。人はその伝わり方の違い（伝達関数と呼ばれる）を記憶しているため、音の音源の方向を認識することができる。この人間の知覚処理能力を応用して、人間の記憶の中にある知覚と同様の特性を持たせた擬似的な音響信号を生成し、それを音源から発することで、例えば、実際の音源が前方にあるにもかかわらず、仮想的な音源が後方にあるように錯覚させ、後方から音声出力されているように認識させることができる。このように、３Ｄサラウンド処理により、音源の位置やそこからの音声の出力方向（指向性）を仮想的に制御することができる。
【００３５】
このような３Ｄサラウンド処理は、既知の技術であって、専用ＬＳＩやソフトウェアとして実現されており、当該３Ｄサラウンド機能を搭載した携帯端末装置も実用化されている。
【００３６】
本発明の実施の形態における携帯端末装置は、３Ｄサラウンド処理用ソフトウェアを装置内の記憶手段に格納し、マルチメディアプロセッサ３４がそれを実行する。マルチメディアプロセッサ３４は、スピーカ８から出力される音声信号に対して、ユーザの耳やマイク１及びレシーバ１１には届かず、ユーザの周辺にのみ聞こえるような３Ｄサラウンド処理を施し、当該３Ｄサラウンド処理された逆位相の音声信号をスピーカ８から出力することで、上記不都合が解消される。
【００３７】
図４は、３Ｄサラウンド処理により、ユーザの周辺にのみ逆位相音声が出力される状態を示す図である。携帯端末装置のユーザの耳と面する側に、マイク１及びレシーバ１１が設けられている。スピーカ８は、ユーザの耳と面する側の反対面に設けられる。図４（ａ）は、携帯端末装置からの逆位相音声が、ユーザの耳やマイク及びレシーバを有する携帯端末装置には到達しないように、ユーザを取り囲む周囲にのみ出力される様子が示される。また、図４（ｂ）は、携帯端末装置からの逆位相音声は、ユーザの耳やマイク及びレシーバを有する携帯端末装置には到達しないように、ユーザから離れる方向に出力される様子を示す。
【００３８】
上述の特許文献１では、筐体内におけるマイクロフォンとスピーカとの間の空間を隔絶する隔壁を設けることにより、スピーカから発せられた音声が筐体内部でスピーカに回り込み、送話音声を打ち消しあって、送話音量が小さくなってしまうことを防止する発明について開示しているが、この隔壁は、携帯端末装置を小型化する上で障害となる。本発明の携帯端末装置では、３Ｄサラウンド処理により、逆位相音声がユーザの耳やマイク１に到達するのを防止することができるので、特許文献１のような隔壁を設ける必要はない。従って、逆位相の音声がユーザの耳やマイクに回り込むための物理的な部材を付加する必要がないので、本発明の漏れ音キャンセル機能の実現のために、携帯端末装置のサイズを大きくしなくてよい。
【００３９】
また、本発明の漏れ音キャンセル機能は、携帯端末装置に従来より搭載されている通常の通話用の回路及びプロセッサ及び音楽再生用の回路及びプロセッサを利用して実現可能であり、コストの増加を抑えることができる。
【００４０】
（付記１）
ユーザの送話音声を送信し、通話先からの受話音声を受信する携帯端末装置において、
前記送話音声を検出するマイクと、
前記受話音声を出力するレシーバと、
前記送話音声と同一周波数成分を有し且つ逆位相の送話逆位相信号と、前記受話音声と同一周波数成分を有し且つ逆位相の受話逆位相信号とを生成する生成部と、
前記生成部により生成された前記送話逆位相信号と前記受話逆位相信号とを音声出力するスピーカとを備えることを特徴とする携帯端末装置。
【００４１】
（付記２）
音楽再生機能を有する携帯端末装置において、
ヘッドフォンが接続されるヘッドフォン端子と、
前記ヘッドフォン端子に音声出力される音響信号と同一の周波数成分を有し且つ逆位相の逆位相音響信号を生成する生成部と、
前記生成部により生成された前記逆位相音響信号を音声出力するスピーカとを備えることを特徴とする携帯端末装置。
【００４２】
（付記３）
付記１において、
ヘッドフォン端子を備え、
前記生成部は、前記ヘッドフォン端子に音声出力される音響信号と同一の周波数成分を有し且つ逆位相の逆位相音響信号を生成し、
当該逆位相音響信号が前記スピーカから音声出力されることを特徴とする携帯端末装置。
【００４３】
（付記４）
付記１において、
前記スピーカが音声出力された前記送話逆位相信号及び前記受話逆位相信号がユーザの耳及び前記マイク及び前記レシーバ付近には到達せずに、ユーザの周囲にのみ出力されるように、前記送話逆位相信号及び前記受話逆位相信号を音響処理する音響処理部を備え、
当該音響処理された前記送話逆位相信号及び前記受話逆位相信号が前記スピーカから出力されることを特徴とする携帯端末装置。
【００４４】
（付記５）
付記２又は３において、
前記スピーカから音声出力された前記逆位相音響信号がユーザの耳及び前記マイク及び前記レシーバ付近には到達せずに、ユーザの周囲にのみ出力されるように、前記逆位相音響信号を音響処理する音響処理部を備え、
当該音響処理された前記逆位相音響信号が前記スピーカから音声出力されることを特徴とする携帯端末装置。
【００４５】
（付記６）
付記１乃至５のいずれかにおいて、
前記逆位相送話信号及び前記逆位相受話信号のレベルを検出する音響処理部を備え、
前記音響処理部は、前記逆位相送話信号及び前記逆位相受話信号のレベルが所定のしきい値より大きい場合、警告音を生成し、当該警告音を前記スピーカから出力することを特徴とする携帯端末装置。
【００４６】
（付記７）
付記１乃至５のいずれかにおいて、
前記逆位相送話信号及び前記逆位相受話信号のレベルを検出する音響処理部を備え、
前記音響処理部は、前記逆位相送話信号及び前記逆位相受話信号のレベルが所定のしきい値より大きい場合、前記マイクでの検出レベル及び前記レシーバの出力レベルを所定レベル下げるように調整することを特徴とする携帯端末装置。
【００４７】
（付記８）
付記１乃至７のいずれかにおいて、
所定パターンの音声データを再生する音響処理部を備え、
前記送話逆位相信号と前記受話逆位相信号とともに、前記音声データを再生した音響信号が前記スピーカから音声出力されることを特徴とする携帯端末装置。
【００４８】
（付記９）
通話先からの受話音声を受信する携帯端末装置において、
前記受話音声を出力するレシーバと、
前記受話音声と同一周波数成分を有し且つ逆位相の受話逆位相信号を生成する生成部と、
前記生成部により生成された前記受話逆位相信号とを音声出力するスピーカとを備えることを特徴とする携帯端末装置。
【図面の簡単な説明】
【００４９】
【図１】本発明の携帯端末装置の要部構成を示す図である。
【図２】本発明の実施の形態における携帯端末装置の第一の構成例を示す図である。
【図３】本発明の実施の形態における携帯端末装置の第二の構成例を示す図である。
【図４】３Ｄサラウンド処理により、ユーザの周辺にのみ逆位相音声が出力される状態を示す図である。
【符号の説明】
【００５０】
１：マイク、２：Ａ／Ｄ変換部、３：音声符号化部、４：無線部、５：アンテナ、６：逆位相波形生成部、７：音源再生部、８：スピーカ、９：音声復号部、１０：Ｄ／Ａ変換部、１１：レシーバ
【図１】
2008134557.tif 000003
【図２】
2008134557.tif 000004
【図３】
2008134557.tif 000005
【図４】
2008134557.tif 000006